(57)【要約】【課題】  日除け又は防雪等の十分な機能を確保しながら、つまり、軽量でかつ十分な強度を確保しながら、外観の美観に優れるとともに、接触による危険を防止し、さらに、シンプルで容易な作業により、組み立て作業を効率的に進めることができるアルミニウム製防護屋根を提供することを目的とする。【解決手段】一対の支持部材２１と、平面部の側縁部に結合部を備えた屋根板を複数列配列し、これら屋根板相互間を結合部で合体させてなる屋根部材１１と、屋根部材１１の一部を支持する枠部材３１とからなり、結合部は、一方の屋根板の側縁部に形成され、下方に屈曲した凸状屈曲部と、他方の屋根板の側縁部に形成され、凸状屈曲部の外形形状に対応する凹状屈曲部とから構成され、一方屋根板の凸状屈曲部を、所定角度から他方屋根板の凹状屈曲部内に挿入し、回動させることにより結合されるアルミニウム製防護屋根。【選択図】  図１
2005164178.tif 000002
【特許請求の範囲】
【請求項１】
空気調和機の上部に支持される一対の支持部材と、
該支持部材によって支持され、複数の屋根板を巾方向に配列し、これら屋根板を相互に結合部で結合させてなる屋根部材と、
該屋根部材の長さ方向端縁部を支持する枠部材とから構成されるアルミニウム製防護屋根であって、
前記結合部は、一方の屋根板の側縁部に形成され、側縁から下方に屈曲した凸状屈曲部と、他方の屋根板の側縁部に形成され、凸状屈曲部の外形形状に対応する凹状屈曲部とから構成され、
一方の屋根板の凸状屈曲部を、所定角度から他方の屋根板の凹状屈曲部内に挿入し、凹状屈曲部内で屋根板が平面的に結合した状態となるように回動させることにより結合し、巾方向において屋根板が遊離しない状態とされることを特徴とするアルミニウム製防護屋根。
【請求項２】
他方の屋根板の凹状屈曲部の先端部近傍において前記他方の屋根板の巾方向外側に突出した外側突部が形成され、かつ、一方の屋根板の凸状屈曲部から一定間隔離れ、該凸状屈曲部が配置する裏面側の側端部近傍に、先端部が少なくとも前記一方の屋根板の巾方向外側に向かう鉤状突部が形成されており、前記他方の屋根板と一方の屋根板とが結合された際に、前記鉤状突部と外側突部とが対向することによって、支持部と連結するための締結部材を納め得る溝が形成されてなる請求項１に記載のアルミニウム製防護屋根。
【請求項３】
屋根部材が２枚の屋根板から構成される請求項１又は２に記載のアルミニウム製防護屋根。
【請求項４】
屋根部材が３枚の屋根板から構成され、１つの屋根板が片側側縁部に凸状屈曲部を有するのみであり、１つの屋根板が片側側縁部に凹状屈曲部を有するのみであり、１つの屋根板が両側側縁部に凸状屈曲部と凹状屈曲部とを有してなる請求項１又は２に記載のアルミニウム製防護屋根。
【請求項５】
屋根部材が３枚の屋根板から構成され、２つの屋根板が片側側縁部に凹状屈曲部を有するのみであり、１つの屋根板が両側側縁部に凸状屈曲部を有してなる請求項１又は２に記載のアルミニウム製防護屋根。
【請求項６】
屋根部材が４枚以上の屋根板から構成され、１つの屋根板が片側側縁部に凸状屈曲部を有するのみであり、１つの屋根板が片側側縁部に凹状屈曲部を有するのみであり、２つ以上の屋根板が両側側縁部に凸状屈曲部と凹状屈曲部とを有してなる請求項１又は２に記載のアルミニウム製防護屋根。
【請求項７】
屋根部材が４枚以上の屋根板から構成され、１つの屋根板が両側側縁部に凸状屈曲部を有するのみであり、２つの屋根板が片側側縁部に凹状屈曲部を有するのみであり、２つ以上の屋根板が両側側縁部に凸状屈曲部と凹状屈曲部とを有してなる請求項１又は２に記載のアルミニウム製防護屋根。
【請求項８】
他方の屋根板における凸状屈曲部と鉤状突部との間に、該鉤状突部よりも低い締結部材の支持リブが形成されてなる請求項２〜７のいずれか１つに記載のアルミニウム製防護屋根。
【請求項９】
一方の屋根板と他方の屋根板とが結合された際に形成される溝の一部において、支持部材と連結するための締結部材を出し入れし得る切欠部が形成されてなる請求項２〜７のいずれか１つに記載のアルミニウム製防護屋根。
【請求項１０】
支持部材が、空気調和機の側面から上面にわたって当接し得る脚部と、該脚部に連結され、かつ屋根部材に固定される腕部とから構成されており、
前記空気調和機の側面に当接し得る前記脚部の中央付近において上下方向に延びる縦孔が左右方向に複数個形成され、両端付近において左右方向に延びる横孔がそれぞれ少なくとも１個形成されてなる請求項１〜９のいずれか１つに記載のアルミニウム製防護屋根。
【発明の詳細な説明】
【技術分野】
【０００１】
本発明は、アルミニウム製防護屋根に関し、より詳細には、空気調和機等に日除けや防雪のために取り付けられるアルミニウム製の防護屋根に関する。
【背景技術】
【０００２】
従来から、エアコン等の室外機を屋外に設置する際、日除けや防雪のために、種々のタイプのものが市販されていた（例えば、非特許文献１及び２）。
例えば、1枚の天板と、それをエアコンの室外機の上方に支持するための一対の支持部材とからなるもの、同じく天板と一対の支持部材からなるが、種々の大きさの室外機に対応することができるように、天板を１〜３枚程度に増減できるようにすることによって奥行きを変更できるもの等がある。また、日除け又は防雪等の目的に応じて、樹脂製の日除け屋根、ステンレス鋼製の防雪屋根等のように、天板の材質が選択されていた。
通常、天板を増減することができるタイプのものは、奥行き方向の端部にコの字状の鉤つきフックを有しており、このフックを相互に掛合させることで、複数の天板を連結させていた。例えば、樹脂製の日除け屋根の場合は、材料の性質上、可撓性があるために、２枚の天板の巾（奥行）方向に並べ、それらのフックを掛合させるように圧入するのみで、容易に複数の天板を連結することができる。
【０００３】
一方、金属性の防雪屋根の場合は、金属という材料の性質上、樹脂製のもののように天板の巾方向へ圧入すると、フックが変形する場合があり、適切な連結ができない。そのため、通常、天板の長さ方向（巾方向に直交する方向）に２枚の天板を配置し、一方の天板のフックを他方の天板のフックに掛合させ、スライドによって全長さ方向に連結させるという連結方法が採られる。しかし、長さ方向に２枚の天板を、まっすぐに配置させ、スライドさせるという作業時の困難性、スライド時にスライド方向以外の方向から圧力が掛かった場合に容易にフックが変形すること等によって、組み立ての作業性が悪いという問題があった。
また、金属製の防雪屋根の場合には、各部材、例えば、支持部材や天板が金属板を切断することにより製造されるが、その切断部分のエッジがむき出しとなっている箇所があり、防護屋根を組み立てる工事中や、防護屋根の取付後に、作業者の手や腕を傷つけるという危険が伴う。
【非特許文献１】樹脂製日除け屋根（ＫＫＣ９２６Ｃ４１，ＫＫＣ９３４Ｃ４１）据付説明書（ダイキン工業株式会社）
【非特許文献２】防雪屋根（ＫＩＳ７２Ａ，ＫＫＣ７１２Ａ１）取付説明書（ダイキン工業株式会社）
【発明の開示】
【発明が解決しようとする課題】
【０００４】
本発明は、上記課題に鑑みなされたものであり、日除け又は防雪等の目的のすべてに対して十分な機能を確保しながら、つまり、軽量で、かつ十分な強度を確保しながら、外観の美観に優れるとともに、接触による危険を防止し、さらに、シンプルで容易な作業により、組み立て作業を効率的に進めることができるアルミニウム製防護屋根を提供することを目的とする。
【課題を解決するための手段】
【０００５】
本発明のアルミニウム製防護屋根は、空気調和機の上部に支持される一対の支持部材と、
該支持部材によって支持され、複数の屋根板を巾方向に配列し、これら屋根板を相互に結合部で結合させてなる屋根部材と、
該屋根部材の長さ方向端縁部を支持する枠部材とから構成されるアルミニウム製防護屋根であって、
前記結合部は、一方の屋根板の側縁部に形成され、平面部の側縁から下方に屈曲した凸状屈曲部と、他方の屋根板の側縁部に形成され、凸状屈曲部の外形形状に対応する凹状屈曲部とから構成され、一方の屋根板の凸状屈曲部を、所定角度から他方の屋根板の凹状屈曲部内に挿入し、凹状屈曲部内で屋根板が平面的に結合した状態となるように回動させることにより結合し、巾方向において屋根板が遊離しない状態とされることを特徴とする。
【０００６】
また、上記防護屋根は、他方の屋根板の凹状屈曲部の先端部近傍において前記他方の屋根板の巾方向外側に突出した外側突部が形成され、かつ、一方の屋根板の凸状屈曲部から一定間隔離れ、該凸状屈曲部が配置する裏面側の側端部近傍に、先端部が少なくとも前記一方の屋根板の巾方向外側に向かう鉤状突部が形成されており、前記他方の屋根板と一方の屋根板とが結合された際に、前記鉤状突部と外側突部とが対向することによって、支持部と連結するための締結部材を納め得る溝が形成されていてもよい。
さらに、屋根部材が２枚の屋根板から構成される。屋根部材が３枚の屋根板から構成され、１つの屋根板が片側側縁部に凸状屈曲部を有するのみであり、１つの屋根板が片側側縁部に凹状屈曲部を有するのみであり、１つの屋根板が両側側縁部に凸状屈曲部と凹状屈曲部とを有してなるか、あるいは２つの屋根板が片側側縁部に凹状屈曲部を有するのみであり、１つの屋根板が両側側縁部に凸状屈曲部を有してなる。屋根部材が４枚以上の屋根板から構成され、１つの屋根板が片側側縁部に凸状屈曲部を有するのみであり、１つの屋根板が片側側縁部に凹状屈曲部を有するのみであり、２つ以上の屋根板が両側側縁部に凸状屈曲部と凹状屈曲部とを有してなるか、あるいは１つの屋根板が両側側縁部に凸状屈曲部を有するのみであり、２つの屋根板が片側側縁部に凹状屈曲部を有するのみであり、２つ以上の屋根板が両側側縁部に凸状屈曲部と凹状屈曲部とを有していてもよい。
【０００７】
また、他方の屋根板における凸状屈曲部と鉤状突部との間に、該鉤状突部よりも低い締結部材の支持リブが形成されていてもよい。
さらに、一方の屋根板と他方の屋根板とが結合された際に形成される溝の一部において、支持部材と連結するための締結部材を出し入れし得る切欠部が形成されていてもよい。
また、支持部材が、空気調和機の側面から上面にわたって当接し得る脚部と、該脚部に連結され、かつ屋根部材に固定される腕部とから構成されており、
前記空気調和機の側面に当接し得る前記脚部の中央において上下方向に延びる縦孔が左右方向に複数個形成され、両端において左右方向に延びる横孔が上下方向にそれぞれ少なくとも１個形成されていてもよい。
【発明の効果】
【０００８】
本発明のアルミニウム製防護屋根によれば、アルミニウムという材料の性質上、軽量化を図ることができるとともに、雪による荷重やツララの落下による衝撃に耐えることができるほどの強度を確保することができ、日除け及び防雪等の目的のいずれにも対応できる防護屋根を提供することができる。また、一方の屋根板の側縁部における凸状屈曲部を、他方の屋根板の側縁部の凹状屈曲部に、所定角度から挿入し、回動することによって、凹状屈曲部内で屋根板が平面的に結合するという結合部を備えているため、従来のように、２枚の天板の一方のフックを他方のフックに掛合するために長さ方向に配置し、スライドによって全長さ方向に連結させるというような連結方法を採ることなく、実質的に、２枚の屋根板の結合部を所定の角度で交わるように重ね、その結合部を軸として両者を広げるように、つまり、２枚の屋根板を面一となるように回動することによって、両者を容易に連結させることができる。したがって、フック等の屋根板等の部材における変形、損傷を回避し、屋根板相互間を強固に連結することができるとともに、作業性の効率化を図ることができる。
【０００９】
また、他方の屋根板の凹状屈曲部の先端部近傍において前記他方の屋根板の巾方向外側に突出した外側突部が形成され、かつ、一方の屋根板の凸状屈曲部から一定間隔離れ、該凸状屈曲部が配置する裏面側の側端部近傍に、先端部が少なくとも前記一方の屋根板の巾方向外側に向かう鉤状突部が形成されており、前記他方の屋根板と一方の屋根板とが結合された際に、前記鉤状突部と外側突部とが対向することによって、支持部と連結するための締結部材を納め得る溝が形成されてなる場合には、支持部を連結する際に、支持部を屋根部材に締結部材で締結すると同時に、２枚の屋根板の結合部を締結部材で締結することができる。したがって、別途屋根板同士の締結を行う必要がなく、強固な連結を実現できるシンプルな構造とすることができる。
【００１０】
さらに、屋根部材が２枚の屋根板から構成されるか、屋根部材が３枚の屋根板から構成され、１つの屋根板が片側側縁部に凸状屈曲部を有するのみであり、１つの屋根板が片側側縁部に凹状屈曲部を有するのみであり、１つの屋根板が両側側縁部に凸状屈曲部と凹状屈曲部とを有してなるか、屋根部材が４枚以上の屋根板から構成され、１つの屋根板が片側側縁部に凸状屈曲部を有するのみであり、１つの屋根板が片側側縁部に凹状屈曲部を有するのみであり、２つ以上の屋根板が両側側縁部に凸状屈曲部と凹状屈曲部とを有してなるか、あるいは１つの屋根板が両側側縁部に凸状屈曲部を有するのみであり、２つの屋根板が片側側縁部に凹状屈曲部を有するのみであり、２つ以上の屋根板が両側側縁部に凸状屈曲部と凹状屈曲部とを有してなる場合には、それぞれの奥行きに応じた屋根部材の調整を簡便に行うことができ、種々のタイプの空気調和機に対応することができる。
【００１１】
特に、屋根部材が３枚の屋根板から構成され、２つの屋根板が片側側縁部に凹状屈曲部を有するのみであり、１つの屋根板が両側側縁部に凸状屈曲部を有してなる場合には、上記効果にくわえて、屋根板の種類を２種類にすることができ、製造コストが低減され、安価な防護屋根を提供することができる。
また、他方の屋根板における凸状屈曲部と鉤状突部との間に、該鉤状突部よりも低い締結部材の支持リブが形成されてなる場合には、上述したように、屋根部材に支持部を締結部材によって締結させる作業時に、締結部材が倒れて溝内に入り込むことを防止することができ、作業効率を向上させることができる。
【００１２】
さらに、一方の屋根板と他方の屋根板とが結合された際に形成される溝の一部において、支持部材と連結するための締結部材を出し入れし得る切欠部が形成されてなる場合には、屋根板の端部から、締結部材を溝に挿入して、スライドさせるという作業をすることなく、切欠部からの締結部材の導入、短い距離の移動というシンプルな作業によって、屋根部材と支持部との締結を実現することができる。
また、空気調和機の上方に、上述したアルミニウム製防護屋根を固定する場合、通常、空気調和機の側面にすでに形成されている螺子孔を利用して、防護屋根を固定することになるが、本発明のように、空気調和機の側面に当接し得る前記脚部の中央において上下方向に延びる縦孔が左右方向に複数個形成され、両端において左右方向に延びる横孔が上下方向にそれぞれ少なくとも１個形成されていることにより、メーカーごとの別々の規格の空気調和機、別々の位置（例えば、中央部近傍に１個、又は両端側に２個等）に形成された空気調和機側面の螺子孔のいずれにも対応して利用することができ、防護屋根の取付を容易かつ確実に行うことができる。
【発明を実施するための最良の形態】
【００１３】
本発明のアルミニウム製防護屋根の実施例を図面に基づいて詳細に説明する。
実施例１
この実施例のアルミニウム製防護屋根１０は、図１の斜視図に示すように、主として、空気調和機の上部に配置する屋根部材１１と、この屋根部材１１を支持する一対の支持部材２１と、屋根部材１１の長さ方向（図１中矢印Ｐ方向）の端縁部を支持する枠部材３１とから構成される。
【００１４】
屋根部材１１は、図２（ａ）、（ｂ）の平面図、正面図と、図３の側面図とにそれぞれ示すように、例えば、３枚の屋根板１２、１３、１４が、巾方向（図１中矢印Ｓ方向）に配列し、これら屋根板１２、１３、１４相互間を結合部で結合させて構成される。
屋根板１２、１３、１４は、図４（ａ）、（ｂ）、（ｃ）にそれぞれ示すように、所定巾、例えば、２００〜３００ｍｍ程度に形成された平面部１２ａ、１３ａ、１４ａを有し、少なくともその一側縁部に結合部を備えている。
結合部は、例えば、屋根部材１１の一端側に配置される屋根板１２において、平面部１２ａの側縁から下方に、一部円弧形状を形成するように屈曲した凸状屈曲部１２ｃとして形成されている。また、屋根部材１１の他端側に配置される屋根板１３において、平面部１３ａの裏面側に延び、屋根板１２の凸状屈曲部１２ｃの外形形状に対応する形状の凹状屈曲部１３ｂとして形成されている。なお、凹状屈曲部１３ｂの先端は、凹状屈曲部１３ｂの内側に突出した鍵部１３ｅが形成されている。屋根部材１１の中央に配置される屋根板１４においては、平面部１４ａの一方の側縁部に、屋根板１２の凸状屈曲部１２ｃと同様の形状の凸状屈曲部１４ｃが、さらに他方の側縁部に、屋根板１３の凹状屈曲部１３ｂと同様の形状の凹状屈曲部１４ｂが、それぞれ形成されている。
【００１５】
このような構成により、図５（ａ）に示すように、一方の屋根板、例えば、屋根板１４の凸状屈曲部１４ｃを、他方の屋根板、例えば、屋根板１３の凹状屈曲部１３ｂ内に所定角度、例えば、１３０°程度で交差するように挿入し、凹状屈曲部１３ｂ内で、屋根板１３、１４が平面的に結合した状態となるように、屋根板１４を、矢印Ｘ方向に回動させることにより、屋根板の材料における可撓性を利用することなく、両者を面一に結合させることができ、巾方向において屋根板１３、１４が遊離しない状態とすることができる（図５（ｂ）参照）。
【００１６】
なお、図４（ｃ）に示したように、凸状屈曲部１４ｃの付け根付近に上側に突出した突起１４ｈが形成され、図４（ｂ）に示したように、凹状屈曲部１３ｂ内であって、凸状屈曲部１４ｃの突起１４ｈに対応する位置に凹部１３ｈが形成されている場合には、屋根板１３、１４を互いに連結させることにより、凸状屈曲部１４ｃと凹状屈曲部１３ｂとが重なり合い、さらに、これら突起１４ｈと凹部１３ｈとが掛合することにより、より強固に連結させることができる。よって、多少の応力が働いても容易に屋根板１４、１３が遊離することを防止できる。
【００１７】
屋根板１２は、凸状屈曲部１２ｃと反対側の端縁部において、下方に湾曲してその端面が露出しないように丸みを帯びた屈曲部１２ｄが形成されている。また、屋根板１２の凸状屈曲部１２ｃから一定間隔離れた裏面側の側端部近傍に、先端部１２ｇが屋根板１２の巾方向であって、内側と外側とにそれぞれ向かい、平面部１２ａと平行となるように屈折した鉤状突部１２ｅが形成されている。なお、この先端部１２ｇにおいては、少なくとも外側に向かう鉤状突部が形成されていればよい。さらに、凸状屈曲部１２ｃと鉤状突部１２ｅとの間に、鉤状突部１２ｅよりも高さが低い、締結部材の転倒を防止するための、断面形状が棒状の支持リブ１２ｆが形成されている。
【００１８】
屋根板１３は、凹状屈曲部１３ｂと反対側の端縁部において、屋根板１２の端部と同様の形状の屈曲部１３ｄが形成されている。また、屋根板１３の凹状屈曲部１３ｂの先端部近傍において屋根板１３の下側に向かい、さらに屋根板１３の巾方向の外側に突出し、平面部１３ａと平行となるように屈折した外側突部１３ｆが形成されている。
このような構成を有する屋根板１２、１３、１４を、凸状屈曲部１２ｃ、１４ｃと凹状屈曲部１３ｂ、１４ｂとを掛合させて結合させた場合、図６（ａ）に示すように、屋根板１２と屋根板１３との平面部１２ａ、１３ａは、表面側において、面一になるように連結され、さらに、裏面側においては、凸状屈曲部１２ｃと凹状屈曲部１４ｂとが重なりあい、凹状屈曲部１４ｂの先端部近傍の外側突部１４ｆの一部と屋根板１２の鉤状突部１２ｅの一部とが対向することにより、後述する支持部材２１を固定するための固定部材３５（ここではボルト３５ａと蝶ナット３５ｂ）におけるボルト３５ａの頭を収める溝１５が形成される。なお、図６（ｂ）に示すように、溝１５は、長さ方向の少なくとも１箇所において、ボルト３５ａの頭を出し入れすることができる程度の大きさの切欠部１５ａが形成されている。
【００１９】
また、溝１５の内部には、支持リブ１２ｆが配置することとなり、ボルト頭の過度の入り込み、ボルトの転倒を防止することができる。
さらに、先端部近傍の外側突部１４ｆと屋根板１２の鉤状突部１２ｅとに、後述する支持部材２１を当接させ、固定部材２２で強固に締結することにより、支持部材２１の取り付けと同時に、外側突部１４ｆと鉤状突部１２ｅとをより強固に締結することができ、屋根置台を、安定かつ強固に組み立てることができる。
【００２０】
アルミニウム製防護屋根１０を構成する一対の支持部材２１は、図３、図７（ａ）、（ｂ）及び図８（ａ）、（ｂ）にそれぞれ示したように、主として、空気調和機の側面から上面にわたって当接し得る脚部２２と、脚部２２に連結され、かつ屋根部材１１に固定される腕部２３とから構成される。
腕部２３は、図７（ａ）の平面図、図７（ｂ）の側面図に示したように、脚部２２に固定部材で固定するための螺子孔２３ａを備えた底部と、底部から延び、屋根部材１１に所定の角度を付与するために、左右で高さの違う右腕部２３ｂ及び左腕部２３ｃと、屋根部材１１に当接して支持する受け部２３ｄとから構成される。なお、左腕部２３ｃの底部付近には、螺子孔２３ｅが形成されている。また、受け部２３ｄの上面には、略左右対称の位置であって、端部近傍に、屋根部材１１と締結するための孔２３ｆがそれぞれ形成されている。受け部２３ｄの孔２３ｆの外側における端部は、受け部２３ｄの上面よりも若干突出している。このような形状により、支持部材２３を、屋根部材１１に取り付ける場合に、図６（ａ）に示したように、屋根板１４の凹状屈曲部１４ｂの外側突部１４ｆを、屋根板１２側に押圧することができ、より強固な屋根板１２、１４相互の結合を確保することができる。
【００２１】
脚部２２は、図８（ｂ）の断面図に示したように、断面形状が略トの字状であり、図８（ａ）の側面図に示したように、空気調和機の側面に当接し、固定するための側面固定部２２ａ、空気調和機の上面に当接するための上面固定部２２ｂ、側面固定部２２ａと略面一であり、腕部２３と連結するための螺子孔２２ｄが２つ形成された腕固定部２２ｃとから構成される。
また、側面固定部２２ａには、空気調和機の側面と固定するための一群の螺子孔が形成されている。螺子孔は、空気調和機の側面に当接し得る脚部２２の中央において、上下方向に延びる縦孔２２ｅが、左右方向に複数個、ここでは９個形成されている。さらに、その両端において、左右方向に延びる横孔２２ｆが３個ずつ形成されている。
【００２２】
通常、空気調和機に防護屋根を取り付ける場合には、電気的な短絡や、内部機器の保護のために、空気調和機を構成するケースに新たに螺子孔を開けることなく、もともと空気調和機においてケースの組み立てのために螺子止めされていた螺子や螺子孔が利用される。しかし、空気調和機のケース側面の大きさや螺子止めの位置、個数等は、メーカーや機種に応じて、多様である。したがって、すべてのメーカーや機種に対応して、防護屋根の支持部材に螺子孔を形成することは困難であった。
これに対して、上述したように、縦孔２２ｅが中央部に複数個、横孔２２ｆが両側に少なくとも１個ずつ形成されている場合には、どのようなメーカー空気調和機の規格のものにも、新たな孔を開けることなく、対応することができる。つまり、空気調和機の中央部付近に形成されている螺子及び螺子孔を利用する場合には、左右方向においては、支持部材２１自体を数ミリ移動させることにより、上下方向においては、上下方向に延びる縦孔の形状により、その位置を調整することができる。また、空気調和機の両側付近に形成されている螺子及び螺子孔を利用する場合には、左右方向においては、左右方向に延びる左右２つの横孔の形状により、上下方向においては、支持部材２１自体を数ミリ上下に移動させることにより、その位置を調整することができる。
【００２３】
なお、腕部２３と脚部２２との連結は、支持部材２１を屋根部材１１に取り付けた場合に、脚部２２が腕部２３の外側に配置するように、脚部２２を腕部２３の一方側で、螺子孔２３ａ、２３ｅと、螺子孔２２ｄとを重ねた状態で固定することにより行われる。
【００２４】
この実施例のアルミニウム製防護屋根１０における枠部材３１は、屋根部材１１の長さ方向（図１中矢印Ｐ方向）の端縁部を支持する。枠部材３１は、断面形状が図９に示すように、防護屋根１０の外側に配置する側に丸み３２をもたせている。また、屋根板１２、１３、１４にかみ合う側は、屋根板１２、１３、１４を上下から挟み込むようなアーム３３が２本形成されている。このような構成により、屋根板１２、１３、１４の端面を完全に覆うことができる。
なお、下側のアーム３３には、リベット止めするための穴３１ａが形成されている。この穴３１ａは、図４（ａ）、（ｃ）及び（ｄ）において表された穴１２i、１４i、１５ｈ、１５iと一緒にリベット止めされる。
【００２５】
さらに、枠部材３１の端部であって、屋根板１２、１３の端部、つまり、防護屋根１０のコーナー部には、図２（ａ）、図３に示すような、キャップ３４がはめ込まれる。
このようなキャップ３４により、枠部材３１の外側の丸みと、屋根板１２、１３の端部との外側の丸みとがコーナー部においても連結されることとなり、防護屋根１０の外周の全部を、丸みを帯びた形状とすることができ、美観を向上させることができる。
【００２６】
本発明の防護屋根１０を構成する屋根板１２、１３、１４、支持部材１２の脚部２３及び腕部２２、枠部材３１は、アルミニウムの押し出し成型により製造される。つまり、塊状のアルミニウムを押し出し成型機に投入し、アルミニウムを軟化させながら、これら部材の断面形状に対応する形状の口金を通して押し出し、所定の長さに切断することにより製造することができる。
例えば、屋根板１２、１３、１４、枠部材３１は、それぞれ図１の長さ方向（矢印Ｐ方向）に押し出し成型され、例えば、６００〜１２００ｍｍ程度の長さに切断され、各部材が形成される。
【００２７】
また、支持部材２１の腕部２３は、図７（ａ）の矢印Ｒ方向に押し出し成型され、例えば、１５〜５０ｍｍ程度の長さで切断され、受け部２３ｄの両側に孔２３ｆが形成され、さらに、腕部２３の底部近傍に形成された孔にねじ切りを行い、螺子孔２３ａ、２３ｅが形成されることにより、形成される。
さらに、支持部材２１の脚部２２は、まず、図８（ａ）の矢印Ｑ方向に押し出し成型され、例えば、１００〜２００ｍｍ程度の長さで切断される。続いて、腕固定部２２ｃの形状に対応する形状に加工され、さらに、螺子孔２２ｄ、縦孔２２ｅ、横孔２２ｆがそれぞれ形成されることにより、形成される。
このような押し出し成型により、複雑な断面形状を有する屋根板等の部材が、折り曲げ加工等の複雑な作業を経ることなく、精密にかつ簡便に機械加工することができる。
【００２８】
実施例２
この実施例の防護屋根は、屋根板３枚によって屋根部材が形成されるが、その屋根板として、図４（ａ）の屋根板１２を２枚、図４（ｅ）の屋根板１６を１枚合体させる以外、実施例１と同様である。
このような屋根板を用いることにより、屋根板の種類を２種類にすることができ、より製造工程が簡便となり、製造コストの低減、ひいては安価な防護屋根を提供することができる。
【００２９】
実施例３
この実施例の防護屋根は、屋根板３枚によって屋根部材が形成されるが、その屋根板として、図４（ｂ）の屋根板１３を２枚、図４（ｄ）の屋根板１５を１枚合体させる以外、実施例１と同様である。
【００３０】
実施例４
この実施例の防護屋根は、屋根板４枚によって屋根部材が形成されているが、その屋根板として、図４（ａ）の屋根板１２を１枚、図４（ｂ）の屋根板１３を１枚、図４（ｃ）の屋根板１４を２枚合体させる以外、実施例１と同様である。
【００３１】
実施例５
この実施例の防護屋根は、屋根板４枚によって屋根部材が形成されているが、その屋根板として、図４（ａ）の屋根板１２を２枚、図４（ｃ）の屋根板１４を１枚、図４（ｅ）の屋根板１６を１枚合体させる以外、実施例１と同様である。
【００３２】
実施例６
この実施例の防護屋根は、屋根板４枚によって屋根部材が形成されているが、その屋根板として、図４（ｂ）の屋根板１３を２枚、図４（ｃ）の屋根板１４を１枚、図４（ｄ）の屋根板１６を１枚合体させる以外、実施例１と同様である。
【００３３】
実施例７
この実施例の防護屋根は、屋根板４枚によって屋根部材が形成されているが、その屋根板として、図４（ａ）の屋根板１２を１枚、図４（ｂ）の屋根板１３を１枚、図４（ｄ）の屋根板１６を１枚、図４（ｅ）の屋根板１６を１枚合体させる以外、実施例１と同様である。
【００３４】
変形例
（１）実施例においては、屋根部材は屋根板が３枚結合されて構成される例を示しているが、屋根板１２と屋根板１３との２枚の屋根板によって構成されるものでもよい。また、屋根板１２と屋根板１３との間に屋根板１４に相当する屋根板を２枚以上結合することにより、４枚以上の屋根板によって構成されるものでもよい。
（２）支持部材２１の脚部２２における縦孔２２ｅ、横孔２２ｆは、その形状、個数は特に限定されるものではなく、中央付近に縦方向に延びる孔が２個以上形成されていればよく、両端付近に横方向に延びる孔がそれぞれ２個以上、上下方向及び／又は左右方向に並ぶように配置して形成されていてもよい。また、縦孔２２ｅ、横孔２２ｆは、必ずしも同じ大きさでなくてもよく、長さ、太さ等の異なる孔が２種類以上混在していてもよい。
【００３５】
（３）支持部材２１の腕部２３に形成された孔２３ａ、２３ｅは、脚部２２の螺子孔２２ｄに対応する位置に形成されていればよく、必ずしも腕部２３の底部と左右いずれかの腕部２３ｂ、２３ｃでなくても、底部のみに、腕部のみに、それらのコーナー部分に形成されていてもよい。
（４）締結部材は、必ずしもボルト及びナットでなくても、同じ目的で使用されるものであれば、特にその種類は限定されない。
（５）枠部材３１の形状は特に限定されず、屋根板１２、１３、１４の連結を支持し、屋根板１２、１３、１４の端面を覆うことができる形状であればよい。
（６）屋根部材１１の端部に位置する屋根板１２、１３自体の形状は、平面のみならず、波形等を有していてもよい。また、屋根板１２、１３の端部の形状は特に限定されず、屋根板１２、１３の端面を露出させないような形状であれば、どのように屈曲等していてもよい。
【産業上の利用可能性】
【００３６】
本発明の防護屋根は、空気調和機の上に載置するのみならず、特に屋外に載置し、その上面を日差しや雪、ツララ等から保護する必要性を有する全ての装置の防護屋根として幅広い分野で利用することができる。
【図面の簡単な説明】
【００３７】
【図１】本発明の防護屋根の実施例を示す斜視図である。
【図２】図１の防護屋根の平面図（ａ）及び正面図（ｂ）である。
【図３】図１の防護屋根の側面図である。
【図４】本発明の防護屋根における屋根板の断面図（ａ）〜（ｅ）である。
【図５】本発明の防護屋根の屋根板の連結を説明するための要部の断面図である。
【図６】本発明の防護屋根における屋根板と支持部材との連結を説明するための要部の断面図（ａ）、（ｂ）である。
【図７】本発明の防護屋根における支持部材の腕部の平面図（ａ）及び側面図（ｂ）である。
【図８】本発明の防護屋根における支持部材の脚部の平面図（ａ）及び側面図（ｂ）である。
【図９】本発明の防護屋根における枠部材の断面図である。
【符号の説明】
【００３８】
１０  アルミニウム製防護屋根
１１  屋根部材
１２、１３、１４、１５、１６  屋根板
１２ａ、１３ａ、１４ａ、１５ａ、１６ａ  平面部
１２ｃ、１３ｃ、１５ｃ  凸状屈曲部
１２ｄ、１３ｄ  屈曲部
１２ｅ  鉤状突部
１２ｆ  支持リブ
１２ｇ、１４ｇ、１５ｇ  先端部
１２ｈ、１４ｈ  凸起
１３ｂ、１４ｂ、１６ｂ  凹状屈曲部
１３ｅ、１４ｅ、１５ｅ、１６ｅ  鉤状突部
１３ｆ、１４ｆ、１６ｆ  外側突部
１３ｈ、１５ｈ  凹部
１２ｉ、１４i、１５ｈ、１５i  穴
１５  溝
１５ａ  切欠部
２１  支持部材
２２  脚部
２２ａ  側面固定部
２２ｂ  上面固定部
２２ｃ  腕固定部
２２ｄ  螺子孔
２２ｅ  縦孔
２２ｆ  横孔
２３  腕部
２３ａ  螺子孔
２３ｂ  右腕部
２３ｃ  左腕部
２３ｄ  受け部
２３ｅ  螺子孔
２３ｆ  孔
３１  枠部材
３１ａ  凹部
３２  丸み
３３  アーム
３５  固定部材
３５ａ  ボルト
３５ｂ  蝶ナット
【図１】
2005164178.tif 000003
【図２】
2005164178.tif 000004
【図３】
2005164178.tif 000005
【図４】
2005164178.tif 000006
【図５】
2005164178.tif 000007
【図６】
2005164178.tif 000008
【図７】
2005164178.tif 000009
【図８】
2005164178.tif 000010
【図９】
2005164178.tif 000011